(57)【特許請求の範囲】
【請求項１】
所定の端末装置との間で可変の伝送速度で通信する通信部と、
前記端末装置に対する伝送路品質に応じて上り回線あるいは下り回線の伝送速度の変更処理を実行する伝送速度変更部と、
前記端末装置より受信した信号の中から、上り回線および下り回線のうち、優先すべき回線に設定された方に関する情報を検出する検出部と、
前記検出した情報において、優先すべき回線に設定された回線が、前記伝送速度変更部において伝送速度の変更処理の対象となる回線と異なっていれば、伝送速度の変更処理を中止させ、伝送速度を維持する通信制御部とを備え、
前記伝送速度変更部は、伝送速度の変更処理を実行するために、上り回線および下り回線でのデータ通信を停止することを特徴とする基地局装置。
【請求項２】
所定の端末装置との間で可変の伝送速度で通信する通信部と、
前記端末装置に対する伝送路品質を測定し、その品質に応じて上り回線および下り回線のデータ通信の停止を伴う上り回線の伝送速度の変更処理を実行する伝送速度変更部と、
前記端末装置より受信した信号の中から、下り回線を優先とすべき設定がなされているかに関する情報を検出する検出部と、
下り回線を優先とすべき設定がなされていれば、上り回線の伝送速度の変更処理を中止させ、上り回線の伝送速度を維持する通信制御部と、
を備えることを特徴とする基地局装置。
【請求項３】
所定の端末装置との間で可変の伝送速度で通信する通信部と、
前記端末装置より伝送路品質に関する情報を入手し、その情報に応じて上り回線および下り回線のデータ通信の停止を伴う下り回線の伝送速度の変更処理を実行する伝送速度変更部と、
前記端末装置より受信した信号の中から、上り回線を優先とすべき設定がなされているかに関する情報を検出する検出部と、
上り回線を優先とすべき設定がなされていれば、下り回線の伝送速度の変更処理を中止させ、下り回線の伝送速度を維持する通信制御部と、
を備えることを特徴とする基地局装置。
【請求項４】
通信部で送受信する信号の種別あるいは信号量を監視する信号監視部と、
を更に備え、
前記通信制御部は、前記検出部において検出した情報で優先すべきと要求された回線の、信号の種別あるいは信号量に応じて、前記伝送速度変更部での変更処理の実行を中止しないことを特徴とする請求項１から請求項３のいずれかに記載の基地局装置。
【請求項５】
所定の基地局装置と可変の伝送速度で通信する通信部と、
前記基地局装置との上り回線および下り回線のうちの優先すべき方を決定する決定部と、
上り回線あるいは下り回線の伝送速度の変更処理を実行する伝送速度変更部と、
前記決定部において決定した優先すべき方が、前記伝送速度変更部において伝送速度の変更処理の対象となる回線と異なっていれば、伝送速度の変更処理を実行せず、伝送速度を維持する通信制御部と、
を備えることを特徴とする端末装置。
【請求項６】
前記通信制御部は、下り回線を優先すべきと決定した場合には、基地局装置からの上り回線の伝送速度の変更に関する指示を無視し、上り回線を優先すべきと決定した場合には、下り回線の伝送路品質の如何に関わらず伝送速度の変更を基地局装置へ要求しないことを特徴とする請求項５に記載の端末装置。
【請求項７】
前記決定部で決定した優先すべき回線について、回線の優先度に関する情報として要求信号を生成し、前記基地局装置へ送出する信号生成部とを更に備えることを特徴とする請求項５または請求項６に記載の端末装置。
【請求項８】
所定の端末装置との間で可変の伝送速度で通信するステップと、
前記端末装置に対する伝送路品質に応じて上り回線あるいは下り回線の伝送速度の変更処理を実行するステップと、
前記端末装置より受信した信号の中から、上り回線および下り回線のうち、優先すべき回線に設定された方に関する情報を検出するステップと、
前記検出した情報において、優先すべき回線に設定された回線が、前記伝送速度の変更処理を実行するステップにおいて伝送速度の変更処理の対象となる回線と異なっていれば、伝送速度の変更処理を中止させ、伝送速度を維持するステップとを備え、
前記伝送速度の変更処理を実行するステップは、伝送速度の変更処理を実行するために、上り回線および下り回線でのデータ通信を停止することを特徴とする伝送速度決定方法。
【請求項９】
無線ネットワークを介して所定の端末装置との間で可変の伝送速度で通信するステップと、
前記端末装置に対する伝送路品質に応じて上り回線あるいは下り回線の伝送速度の変更処理を実行するステップと、
前記端末装置より受信した信号の中から、上り回線および下り回線のうち、優先すべき回線に設定された方に関する情報を検出するステップと、
前記検出した情報において、優先すべき回線に設定された回線が、前記伝送速度の変更処理を実行するステップにおいて伝送速度の変更処理の対象となる回線と異なっていれば、伝送速度の変更処理を中止させ、伝送速度を維持するステップとを備え、
前記伝送速度の変更処理を実行するステップは、伝送速度の変更処理を実行するために、上り回線および下り回線でのデータ通信を停止することをコンピュータに実行させるためのプログラム。
【発明の詳細な説明】
【技術分野】
【０００１】  本発明は伝送速度決定技術に関する。特に通信中に伝送速度を変更する伝送速度決定方法およびそれを利用した基地局装置、端末装置に関する。
【背景技術】
【０００２】  無線通信システムでは、伝送路環境が時間と共に変動するが、その様な伝送路環境下で伝送速度を高める技術のひとつに適応変調方式がある。適応変調方式は、伝送路環境に応じて変調方式を制御し、例えば、伝送路環境が悪いと判断される場合には、高信頼度の変調方式を使用してデータを伝送し、一方、伝送路環境がよいと判断される場合には、多情報量の変調方式を使用してデータを伝送する。無線通信システムに含まれた基地局装置と端末装置が、ＴＤＤ（Ｔｉｍｅ  Ｄｉｖｉｓｉｏｎ  Ｄｕｐｌｅｘ）方式で通信している場合、一般的に上り回線のスロットと下り回線のスロットが、規則的に交互に送信される。【０００３】  また、ＴＤＤ方式において伝送路の可逆性が成り立つ場合、基地局装置はスロットを受信し、受信ベースバンド信号およびＲＳＳＩ（Ｒｅｃｅｉｖｅｄ  Ｓｉｇｎａｌ  Ｓｔｒｅｎｇｔｈ  Ｉｎｄｉｃａｔｏｒ）等の受信レベル情報から、伝送路のＣ／Ｎ（Ｃａｒｒｉｅｒ  ｔｏ  Ｎｏｉｓｅ  Ｒａｔｉｏ）や遅延スプレッド等を検出して、次の送信タイミングにおける伝送路環境を推定する。さらに、この推定結果に従って、送信に使用すべき変調方式を選択する（例えば、特許文献１参照。）。
【特許文献１】特開２００２−２９０２４６号公報
【発明の開示】
【発明が解決しようとする課題】
【０００４】  本発明者は、こうした状況下、以下の課題を認識するに至った。【０００５】  従来の技術において、例えばＴＤＤ方式による通信で伝送路の可逆性が成り立つと考える場合などでは、適応変調による伝送速度の設定は、上り回線と下り回線とを区別することなく行っている。しかしながら、基地局装置と端末装置とでは、その構造の差異により、送信部の無線出力や受信部のアンテナ利得が大きく異なり、上り回線と下り回線とを同じ変調方式で接続することが不適当な場合が起こりえる。また、ＦＤＤ（Ｆｒｅｑｕｅｎｃｙ  Ｄｉｖｉｄｅｄ  Ｄｕｐｌｅｘ）方式などにおいては、上り回線と下り回線とで使用する周波数が異なることから、伝送路環境から受ける影響も上り回線と下り回線とで異なるものとなる。【０００６】  これに対し、上り回線と下り回線それぞれにおいて、伝送路の品質を監視し、個別に伝送路品質に適した伝送速度を設定する方法が考えられる。これによれば、例えば、下り回線に比べ上り回線の伝送路品質の測定結果が劣る場合、下り回線には、多情報量の変調方式を、一方、上り回線には高信頼度の変調方式をそれぞれ使用することで、双方に最適な伝送速度を設定することができる。【０００７】  さて、上記により、上り回線、下り回線それぞれに伝送路品質に適した伝送速度を設定することが可能となるが、実際の通信において上り回線あるいは下り回線で送受信されるデータの発生量は、そのデータを利用するアプリケーションの動作に依存する。すなわち、ホームページの閲覧やデータのダウンロードを行うようなアプリケーションを動作させる場合、送受信されるデータの多くは下り回線に発生し、上り回線にはごく少量のデータしか発生しない。【０００８】  このような状況下で、上記の上り回線と下り回線とで個別に伝送路品質を測定して伝送速度を決定する方法を行った場合、上り回線の伝送路品質が良であると判断されると、仮に下り回線で多量のデータが発生していたとしても、上り回線の伝送速度の変更処理を起動する。この処理では、同期の確立を図るため、上り回線と下り回線の通信を一時的に停止させて、それぞれの回線に同時にバースト信号を送出し、同期の確立を図る。【０００９】  本発明者はこうした状況を認識して、本発明をなしたものであり、その目的は、上り回線と下り回線とを、それぞれ個別に品質測定して最適な伝送速度を設定する場合において、上り回線、あるいは下り回線での通信の優先度を設定し、優先度に応じた伝送速度の決定を行う伝送速度決定技術およびそれを利用した基地局装置、端末装置を提供することにある。
【課題を解決するための手段】
【００１０】  本発明のある態様は、基地局装置である。【００１１】  この装置は、所定の端末装置との間で可変の伝送速度で通信する通信部と、端末装置に対する伝送路品質に応じて上り回線あるいは下り回線の伝送速度の変更処理を実行する伝送速度変更部と、端末装置より受信した信号の中から、上り回線あるいは下り回線のうちの一方の優先度に関する情報を検出する検出部と、検出した通信回線の優先度に基づき、伝送速度を維持する通信制御部とを備える。【００１２】  この装置は、所定の端末装置との間で可変の伝送速度で通信する通信部と、端末装置に対する伝送路品質を測定し、その品質に応じて下り回線の通信の停止を伴う上り回線の伝送速度の変更処理を実行する伝送速度変更部と、端末装置より受信した信号の中から、下り回線の優先度に関する情報を検出する検出部と、下り回線の優先度が高ければ、上り回線の伝送速度を維持する通信制御部とを備える。【００１３】  この装置は、所定の端末装置との間で可変の伝送速度で通信する通信部と、端末装置より伝送路品質に関する情報を入手し、その情報に応じて上り回線の通信の停止を伴う下り回線の伝送速度の変更処理を実行する伝送速度変更部と、端末装置より受信した信号の中から、上り回線の優先度に関する情報を検出する検出部と、上り回線の優先度が高ければ、下り回線の伝送速度を維持する通信制御部とを備えてもよい。【００１４】  以上の装置により、適応変調の処理を行うに際し、上り回線あるいは下り回線のうち、優先すべきと設定された回線での通信を優先するよう変調方式切替処理の起動を制御するため、例えば、下り回線の通信の優先度が高く、かつ下り回線にて多量の信号の送受を行う場合に、上り回線の変調方式の切り替えを行わないため、下り回線の一時中断が発生せず、伝送効率の低下を防ぐことができる。【００１５】  通信部で送受信する信号の種別あるいは信号量を監視する信号監視部を更に備え、通信制御部は、要求信号で優先すべきと要求された回線の、信号の種別あるいは信号量に応じて、伝送速度変更部での変更処理の実行を中止しないこととしてもよい。【００１６】  以上の装置により、基地局装置は、適応変調の処理を行うに際し、上り回線あるいは下り回線のうち、優先すべきと設定された回線での通信を優先するよう変調方式切替処理の起動を制御し、また、優先すべきとする回線の実際の信号量を監視しながら変調方式の変更処理の起動を制御するため、優先とすべき回線のみならず、優先としない回線も含め、より伝送効率の低下を防ぐことができる。【００１７】  本発明の別の態様は、端末装置である。【００１８】  この装置は、所定の基地局装置と可変の伝送速度で通信する通信部と、基地局装置との上り回線あるいは下り回線のうちの優先すべき方を決定する決定部と、決定した優先度に基づき、伝送速度を維持する通信制御部とを備える。【００１９】  通信制御部は、下り回線を優先すべきと決定した場合には、基地局装置からの上り回線の伝送速度の変更に関する指示を無視し、上り回線を優先すべきと決定した場合には、下り回線の伝送路品質の如何に関わらず伝送速度の変更を基地局装置へ要求しないこととしてもよい。【００２０】  また、決定部で決定した��先すべき回線について、回線の優先度に関する情報として信号を生成し、基地局装置へ送出する信号生成部とを更に備えてもよい。【００２１】  以上の装置により、端末装置は、操作者からのアプリケーション起動操作に応じて、上り回線あるいは下り回線のうち、優先すべきとする回線を決定して基地局装置に伝え、また、基地局装置から指示された優先すべき回線を中断させる旨の要求信号を無視するので、アプリケーション毎の信号発生状況に応じた効率的な通信を行うことができる。【００２２】  本発明のさらに別の態様は、伝送速度決定方法である。【００２３】  この方法は、可変の伝送速度で通信すべき端末装置から受信した信号から、上り回線あるいは下り回線の優先度に関する要求信号を検出し、端末装置との上り回線あるいは下り回線のうちの一方の回線の優先度が高い場合には、他方の回線の伝送速度を維持する。【００２４】  以上の方法により、適応変調の処理を行うに際し、上り回線あるいは下り回線のうち、優先すべきと設定された回線での通信を優先するよう変調方式切替処理の起動を制御するため、例えば、下り回線にて多量の信号の送受を行う場合に、上り回線の変調方式を切り替えるための下り回線の一時中断が発生せず、伝送効率の低下を防ぐことができる。【００２５】  本発明のさらに別の態様は、プログラムである。【００２６】  このプログラムは、無線ネットワークを介して可変の伝送速度で通信すべき端末装置から受信した信号から上り回線あるいは下り回線の優先度に関する要求信号を検出してメモリに格納するステップと、メモリに格納した要求信号が下り回線を優先すべき旨の内容である場合には、上り回線の伝送速度を維持し、要求信号が上り回線を優先すべき旨の要求信号である場合には、下り回線の伝送速度を維持するステップとを含む。【００２７】  なお、以上の構成要素の任意の組合せ、本発明の表現を方法、装置、システム、記録媒体、コンピュータプログラムなどの間で変換したものもまた、本発明の態様として有効である。
【発明の効果】
【００２８】  本発明によれば、端末装置と基地局装置との間で設定される無線回線において、上り回線あるいは下り回線のいずれかを優先とすべき設定を行い、その設定情報と、伝送路の品質、又は送受信される信号の発生量を参照して最適な伝送速度を決定するので、伝送効率の低下を防ぐことができる。
【図面の簡単な説明】
【００２９】［図１］本実施の形態に係る通信システムを示す図である。
［図２］図１の変調方式切り替えの判断に用いる比較表を示す図である。
［図３］図１のフレームフォーマットを示す図である。
［図４］図１の記憶部のデータ構造を示す図である。
［図５］図１の基地局装置の通信接続動作を示すフローチャートである。
［図６］図１の端末装置の通信接続動作を示すフローチャートである。
［図７］図１の端末装置と基地局装置の間の接続シーケンス図である。
［図８］図１の端末装置の通信接続動作を示すフローチャートである。
［図９］図１の端末装置と基地局装置の間の接続シーケンス図である。
【符号の説明】
【００３０】  １０  通信システム、１００  端末装置、１０２  操作表示部、１０４  処理部、１０５  優先情報生成部、１０６  機能確認部、１０８  記憶部、１１０、変復調部、１１２  品質測定部、１１４  変調方式決定部、１１６  無線部、１１８  端末用アンテナ、１２０  制御部、２００  基地局装置、２０２  基地局用アンテナ、２０４  無線部、２０６、変復調部、２０８  処理部、２１０  品質導出部、２１２  変調方式制御部、２１４  機能確認部、２１５  優先情報検出部、２１６  記憶部、２１８  データ量監視部、２２０  インタフェース部、２２２  制御部。
【発明を実施するための最良の形態】
【００３１】  本実施の形態は、基地局装置と端末装置との間で、伝送路の環境に応じて上り回線と下り回線とで個々に伝送速度の設定を行う際に、上り回線あるいは下り回線のうち、いずれかを優先すべき回線とするかに関する情報を入手し、その情報を基に伝送速度の設定を行う伝送速度決定方法およびそれを利用した基地局装置、端末装置に関する。【００３２】  本実施の形態に係る端末装置は、操作者からのアプリケーション起動操作に応じて、上り回線あるいは下り回線のうち、優先とすべき回線を決定し基地局装置２００に伝える。また、本実施の形態に係る基地局装置は、可変の伝送速度で通信すべき端末装置から受信した信号より、上り回線あるいは下り回線のいずれかを優先すべき回線に設定するかの要求信号を検出し、要求信号が下り回線を優先すべき旨の内容である場合には、下り回線の通信の停止を伴う上り回線の伝送速度の変更処理の実行を中止し、要求信号が上り回線を優先すべき旨の要求信号である場合には、上り回線の通信の停止を伴う下り回線の伝送速度の変更処理の実行を中止する。すなわち、優先度の低いほうの回線の伝送速度の変更処理を中止する。【００３３】  図１は、本実施の形態に係る通信システムを示す。通信システム１０は、端末装置１００、基地局装置２００、ネットワーク３００を含む。【００３４】  また、端末装置１００は、操作表示部１０２と、処理部１０４と、優先情報生成部１０５と、機能確認部１０６と、記憶部１０８と、変復調部１１０と、品質測定部１１２と、変調方式決定部１１４と、無線部１１６と、端末用アンテナ１１８と、制御部１２０を含み、基地局装置２００は、基地局用アンテナ２０２と、無線部２０４と、変復調部２０６と、処理部２０８と、品質導出部２１０と、変調方式制御部２１２と、機能確認部２１４と、優先情報検出部２１５と、記憶部２１６と、データ量監視部２１８と、インタフェース部２２０と、制御部２２２を含む。【００３５】  操作表示部１０２は、外部から端末装置を操作するためのインタフェースで、操作者からアプリケーションソフトの起動や終了の操作を受け、それに伴う通信の開始や終了を後述する処理部１０４に伝えるとともに、処理の状況や結果を処理部１０４より入手しメッセージとして表示する。なお、操作表示部１０２は、キーボードや液晶ディスプレイなど操作者が直接扱う物の他、パソコンや他の情報機器を操作表示器として用いるための接続インタフェースであってもよい。【００３６】  処理部１０４は、操作表示部１０２からの接続や切断の指示に応じて、無線回線の接続および切断の処理を行うと共に、後述する優先情報生成部１０５へ、優先すべき回線に関する情報を生成するよう指示する。【００３７】  優先情報生成部１０５は、処理部１０４の指示を受け、優先すべき回線に関する情報を生成する。具体的には、操作表示部１０２で起動されたアプリケーションの情報を入力し、それに応じて上り回線、あるいは下り回線のうち優先すべき回線を決定して、基地局装置２００へ伝えるための要求信号を生成する。【００３８】  機能確認部１０６は、処理部１０４より無線チャネルの接続に関わる機能確認の指示を受けると、記憶部１０８に格納された端末装置１００の��能情報を読み出し、処理部１０４を介して基地局装置２００と機能確認情報の交換を行う。【００３９】  記憶部１０８は、端末装置１００の機能情報と優先すべき回線の設定情報を格納すると共に、後述する基地局装置２００との機能情報の交換で入手した、基地局装置２００の機能情報を格納する。【００４０】  変復調部１１０は、送信すべき情報を変調し、また受信した情報を復調する。ここでは、例えば適応変調機能を有する端末装置にあっては、複数の変調方式（ＢＰＳＫ：Ｂｉｎａｒｙ  Ｐｈａｓｅ  Ｓｈｉｆｔ  Ｋｅｙｉｎｇ、π／４シフトＱＰＳＫ：Ｑｕａｄｒａｔｕｒｅ  Ｐｈａｓｅ  Ｓｈｉｆｔ  Ｋｅｙｉｎｇ、１６ＱＡＭ：Ｑｕａｄｒａｔｕｒｅ
Ａｍｐｌｉｔｕｄｅ  Ｍｏｄｕｌａｔｉｏｎ）を備え、基地局装置２００からの指示や通知に従って適応的に変更されるものとする。尚、変復調方式の決定は、変調方式については、基地局装置２００からの指示で決定され、また復調方式の決定は、端末装置１００から基地局装置２００への要求信号に対する基地局装置２００の応答信号により決定される。【００４１】  品質測定部１１２は、受信した信号を変復調部１１０より入力し、その受信品質を適宜測定する。測定する受信信号品質は任意のもので構わないが、ここでは変復調部１１０で復調した信号、あるいはＲＳＳＩ（受信信号強度表示信号：Ｒｅｃｅｉｖｅｄ  Ｓｉｇｎａｌ  Ｓｔｒｅｎｇｔｈ  Ｉｎｄｉｃａｔｏｒ）から受信した希望信号の強度、受信した干渉信号の強度、希望信号と干渉信号との強度の比などを測定する。あるいは、変復調部１１０で復調した信号の誤り率を測定してもよい。【００４２】  変調方式決定部１１４は、品質測定部１１２で測定した信号の品質から、当該測定した品質に応じた変調方式を決定し、決定した変調方式を基地局装置２００に通知するための信号を生成する。例えば、信号の品質を希望信号と干渉信号との強度の比とする場合に、予め第１の基準値が第２の基準値より高いレベルにあるような第１の基準値と第２の基準値を規定して、それらを記憶しておき、測定した強度の比が第１の基準値以上であれば、変調方式を１６ＱＡＭに決定し、測定した強度の比が第１の基準値より小さく第２の基準値以上であれば、変調方式をπ／４シフトＱＰＳＫに決定し、測定した強度の比が第２の基準値より小さければ、変調方式をＢＰＳＫに決定する。【００４３】  無線部１１６は、送信においては、変復調部１１０で処理されるベースバンドの信号をＤ／Ａ変換し、無線周波数へ周波数変換した後、増幅して後述するアンテナより送信する。また、受信においては、アンテナより入力した信号をＬＮＡ（低雑音増幅装置：Ｌｏｗ  Ｎｏｉｓｅ  Ａｍｐｌｉｆｉｅｒ）にて増幅した後、ベースバンド周波数へ周波数変換し、Ａ／Ｄ変換して変復調部１１０へベースバンドの信号として出力する。【００４４】  端末用アンテナ１１８は、無線周波数の信号を送受信する。なお、端末用アンテナ１１８は、無指向性アンテナ、所定の指向性アンテナのいずれでもよい。【００４５】  制御部１２０は、端末装置１００のタイミング処理や、制御信号の処理などを実行する。【００４６】  基地局用アンテナ２０２は、無線周波数の信号を送受信する。なお、基地局用アンテナ２０２は、無指向性アンテナ、所定の指向性アンテナのいずれでもよい。【００４７】  無線部２０４は、後述する変復調部２０６で処理されるベースバンド信号と無線周波数の信号の変換、増幅、Ａ／ＤまたはＤ／Ａ変換等を行う。【００４８】  変復調部２０６は、送信すべき情報を変調し、また受信した情報を復調する。変調方式は、ＢＰＳＫ、π／４シフトＱＰＳＫ、１６ＱＡＭのいずれかを適応的に選択する。ここでは、１つの端末装置との接続を図示しているが、複数の端末装置と接続している場合には、端末装置単位で変調と復調を実行する。【００４９】  処理部２０８は、無線チャネルの接続処理を行うとともに、送受信されるデータの符号、��号化を実行する。【００５０】  品質導出部２１０は、上り回線の信号の品質として、受信した信号の品質を適宜測定する。受信した信号の品質としては、端末装置１００の品質測定部１１２と同様に、変復調部２０６で復調した信号あるいはＲＳＳＩから、受信した希望信号の強度、受信した干渉信号の強度、希望信号と干渉信号の強度の比などを測定する。【００５１】  一方、下り回線の信号の品質としては、端末装置１００から受信した信号より、端末装置１００の変調方式決定部１１４で決定した変調方式に関する情報を検出する。【００５２】  変調方式制御部２１２は、品質導出部２１０で測定した上り回線の信号の品質および品質導出部２１０で検出した下り回線の信号の品質に適した変調方式を、上り回線および下り回線に対してそれぞれ決定する。信号の品質が希望信号と干渉信号との強度の比である場合、変調方式制御部２１２は、希望信号と干渉信号との強度の比を記憶部２１６に予め記憶した基準値と比較して、変調方式を決定する。【００５３】  図２に、変調方式切替の判断に用いる比較表を示す。ここでは、前述の変調方式決定部１１４と同様にふたつの基準値を有し、それらをそれぞれ「Ａ」と「Ｂ」とする。【００５４】  測定した希望信号と干渉信号との強度の比が「Ａ」以上であれば、変調方式を１６ＱＡＭに決定し、測定した希望信号と干渉信号との強度の比が「Ａ」より小さく「Ｂ」以上であれば、変調方式をπ／４シフトＱＰＳＫに決定し、測定した希望信号と干渉信号との強度の比が「Ｂ」より小さければ、変調方式をＢＰＳＫに決定する。尚、この比較表は、変調方式制御部２１２に備える図示しないメモリに記憶してもよく、あるいは、記憶部２１６へ記憶させてもよい。すなわち、変調方式制御部２１２よりアクセスできる状態にあればよい。【００５５】  図１に戻り、機能確認部２１４は、処理部２０８より無線チャネルの接続に関わる機能確認の指示を受けると、記憶部２１６に格納された基地局装置２００の機能情報を読み出し、処理部２０８を介して端末装置１００と機能確認情報の交換を行う。【００５６】  優先情報検出部２１５は、機能確認部２１４での情報交換が完了すると、端末装置１００から受信した信号から優先すべき回線の要求信号を検出し、内容を解析して記憶部２１６へ格納する。【００５７】  記憶部２１６は、機能確認部２１４による端末装置１００の機能確認情報と、優先情報検出部２１５による優先すべき回線の情報を記憶格納する。【００５８】  データ量監視部２１８は、端末装置１００が基地局装置２００を介してネットワーク３００と送受信する信号量、すなわちデータの量を継続的に監視する。具体的には、例えば、パケットによるデータ通信の場合には、有効なデータの格納されたパケットの単位時間当たり発生量などを計測する。【００５９】  インタフェース部２２０は、基地局装置とネットワークとを接続する役割を担い、ネットワークを介した通信相手への呼接続や、料金情報や位置登録情報などの管理情報を、図示しない管理センター装置との間で送受信する。なお、ネットワークの一例はＩＳＤＮ（総合デジタル通信網：Ｉｎｔｅｇｒａｔｅｄ  Ｓｅｒｖｉｃｅｓ  Ｄｉｇｉｔａｌ  Ｎｅｔｗｏｒｋ）であるが、イ���タフェース部２２０は、ＩＳＤＮに対応した物理的形状や、電気的仕様を有するものとする。【００６０】  制御部２２２は、基地局装置２００の各種タイミング処理や、端末装置１００との無線接続制御、ネットワーク３００との有線接続制御などの処理を実行する。【００６１】  この構成は、ハードウェア的には、任意のコンピュータのＣＰＵ、メモリ、その他のＬＳＩで実現でき、ソフトウェア的には図示しないメモリ上に予め記憶され、実行時に読み出されるプログラムなどによって実現されるが、ここではそれらの連携によって実現される機能ブロックを描いている。したがって、これらの機能ブロックがハードウェアのみ、ソフトウェアのみ、またはそれらの組合せによっていろいろな形で実現できることは、当業者には理解されるところである。【００６２】  図３は、無線区間のフレームフォーマットを示す。このフレームフォーマットは、簡易型携帯電話システムのもので、４チャネル多重マルチキャリアＴＤＭＡ／ＴＤＤ（Ｔｉｍｅ  Ｄｉｖｉｓｉｏｎ  Ｍｕｌｔｉｐｌｅ  Ａｃｃｅｓｓ）方式を示しており、１つのフレームを時分割で８つのスロットに分割して使用する。【００６３】  具体的には、８つのスロットのうち、４つのスロットを基地局装置２００から端末装置１００への下り方向に、また、残る４つのスロットを端末装置１００から基地局装置２００への上り方向に使用する。【００６４】  図４は、基地局装置２００の記憶部２１６に格納される端末装置との接続を管理するデータの構造を示す。【００６５】  「端末ＩＤ」は、端末装置の識別を行うためのＩＤで、すべての端末装置にユニークに割り付けられた番号である。ここでは、「１１１１１」のように数字記号により端末装置を識別するが、これはアルファベット記号や数字との組合せであってもよい。【００６６】  「機能確認情報」は、端末装置の備える機能を示す項目であり、例えば「Ｔｙｐｅ＿Ａ」は、複数の変調方式（高信頼度の変調方式としてのＢＰＳＫと、多情報量の変調方式としての１６ＱＡＭと、その中間に位置する変調方式のπ／４シフトＱＰＳＫ）を備え、伝送路環境の状況に応じて変調方式を制御するいわゆる適応変調機能を備えた端末装置を意味し、「Ｔｙｐｅ＿Ｂ」は、単一の変調方式（π／４シフトＱＰＳＫ）のみを備えた従来型の端末装置を意味する。【００６７】  「回線優先情報」は、接続に伴う機能確認において、端末装置より、上り回線あるいは下り回線のうちの優先すべき回線の設定があった場合に表示される。尚、単一の変調方式のみを備える従来型の端末装置の場合、あるいは適応変調機能を有するものの優先すべき回線の設定がなされていない場合には、「回線優先情報」は設定が無い旨の記載となる。【００６８】  「変調方式」は、現在接続中の回線における変調方式を、上り回線と下り回線で、個々に表示する。【００６９】  図５は、基地局装置２００における通信接続動作を示すフローチャートである。【００７０】  本フローチャートによる動作説明では、基地局装置２００は、端末装置１００から送信された上り回線、あるいは下り回線を優先すべき旨の要求を検出し、その要求に応じて適応変調の処理を行う場合を説明する。【００７１】  基地局装置２００は、端末装置１００との通信が開始されると、無線回線の接続処理のひとつとして、機能確認部２１４にて端末装置１００と互いの備える機能情報の交換を行い（Ｓ５００）、また優先情報検出部２１５にて端末装置１００からの優先すべき回線の要求信号の有無を確認して（Ｓ５０２）、それらの結果を記憶部２１６へ格納する。【００７２】  ここで、優先すべき回線の要求信号の有無の確認とは、基地局装置２００と端末装置１００との間で接続される無線回線において、端末装置１００が、その上り回線、あるいは下り回線のうち、いずれかの回線を優先的に扱うべき旨の要求信号の有無を確認する処理であり、端末装置１００は、機能確認情報メッセージの一部あるいは、独立したメッセージとして要求信号を構成し、基地局装置２００へ伝える。【００７３】  さて、優先すべき回線の確認がなされると、変調方式制御部２１２は、品質導出部２１０より上り回線の伝送路品質の測定結果を入力し、図２に示す変調方式切替の判断基準に照らしてその良否を判断する（Ｓ５０４）。そして、伝送路の品質が良い（現在の変調方式より多情報量の変調方式が利用可能）と判断されると（Ｓ５０４−Ｙ）、記憶部２１６に格納された優先すべき回線の設定情報を参照し、下り回線が優先すべき回線に設定されているか否かを確認する（Ｓ５０６）。【００７４】  ここで、優先すべき回線が下り回線に設定されていない場合（Ｓ５０６−Ｎ）には、変調方式制御部２１２は、上り回線の変調方式をＳ５０４で判断した変調方式へ変更すべき旨の指示メッセージを生成し、変復調部２０６を介して端末装置１００へ送信する。【００７５】  一方、優先すべき回線が下り回線に設定されている場合（Ｓ５０６−Ｙ）には、下り回線でのデータ通信を中断させないよう上り回線の変調方式の切り替えは行わない。【００７６】  さて、変調方式制御部２１２は、上り回線に関する処理が終了すると、引き続き下り回線の確認を行う。具体的には、端末装置１００の変調方式決定部１１４で決定した変調方式に関する情報を検出し、変調方式変更の要求があるか否かを確認する（Ｓ５１０）。【００７７】  そして、変調方式の変更を要求するメッセージが検出された場合（Ｓ５１０−Ｙ）には、記憶部２１６を参照して上り回線が優先に設定されているか否かを確認する（Ｓ５１２）。この確認において、上り回線が優先に設定されていない場合（Ｓ５１２−Ｎ）、変調方式制御部２１２は、変復調部２０６を制御して変調方式の切り替えを起動する。一方、上り回線が優先に設定されている場合（Ｓ５１２−Ｎ）には、上り回線のデータ通信を中断させないよう下り回線の変調方式の切り替えは行わない。【００７８】  さて、上り回線と下り回線の両回線の処理が完了すると、通信終了の有無を確認し（Ｓ５１６）、なければ前述の処理を繰り返し（Ｓ５１６−Ｎ）、あれば通信を終了する（Ｓ５１６−Ｙ）。【００７９】  図６は、端末装置１００における通信接続動作を示すフローチャートである。【００８０】  尚、本フローチャートによる動作説明では、端末装置１００は、基地局装置２００に対して上り回線あるいは下り回線を優先すべき旨の要求を送出し、適応変調の処理を行う場合を説明する。【００８１】  端末装置１００���処理部１０４は、操作表示部１０２を介して操作者等から通信アプリケーションの起動がなされたことを検出すると、通信の開始を機能確認部１０６へ伝えると共に、優先情報生成部１０５に、アプリケーションに応じた優先すべき回線の決定を行わせる（Ｓ６００）。この優先すべき回線の決定は、上り回線あるいは下り回線のいずれかを優先的に扱うべきことを示し、例えば、操作者が、ネットワーク３００を介してホームページの閲覧等を行うためのブラウザソフトを起動した場合には、優先情報生成部１０７は、下り回線のデータ量が上り回線のデータ量に比べて圧倒的に大きくなると判断し、下り回線を優先すべき回線に決定する。【００８２】  優先すべき回線が決定すると、処理部１０４は、基地局装置２００に対し、無線チャネルの割当等を要求するメッセージを送出し、無線回線の接続処理を起動する。【００８３】  この接続処理では、端末装置１００と基地局装置２００との間での無線回線上でのチャネル割当や同期の確立がなされ、続いて、互いに備える機能情報の交換（Ｓ６０２）と、端末装置１００から基地局装置２００への優先すべき回線の設定要求が送信される（Ｓ６０４）。【００８４】  さて、優先すべき回線の確認がなされると、変調方式決定部１１４は、初めに、品質測定部１１２より、下り回線の伝送路品質の測定結果を入力し、伝送路の品質を確認する（Ｓ６０６）。【００８５】  そして、対応可能な変調方式への切り替えが可能（伝送路の品質が良い）と判断されると（Ｓ６０６−Ｙ）、Ｓ６００にて決定した優先すべき回線の設定情報を参照し、上り回線が優先すべき回線に設定されているか否かを確認する（Ｓ６０８）。【００８６】  ここで、優先すべき回線が上り回線に設定されていない場合（Ｓ６０８−Ｎ）には、変調方式決定部１１４は、下り回線の変調方式を、新たな変調方式へ変更する旨の要求メッセージを生成し、変復調部１１０を介して基地局装置２００へ送信する（Ｓ６１０）。【００８７】  一方、優先すべき回線が上り回線に設定されている場合（Ｓ６０８−Ｙ）には、上り回線でのデータ通信を中断させないよう下り回線の変調方式の切り替えを要求するメッセージは生成せず、送信もしない。【００８８】  さて、変調方式決定部１１４は、下り回線に関する処理が終了すると、引き続き上り回線の確認を行う。具体的には、基地局装置２００から変調方式変更の指示メッセージが送信されたか否かを監視する（Ｓ６１２）。【００８９】  そして、変調方式の変更を指示するメッセージが検出された場合（Ｓ６１２−Ｙ）には、先の優先すべき回線の設定を再度確認し（Ｓ６１４）、下り回線が優先に設定されていない場合（Ｓ６１４−Ｎ）には、変調方式決定部１１４は、変復調部１１０を制御して変調方式の切替を起動する。一方、下り回線が優先に設定されている場合（Ｓ６１４−Ｙ）には、下り回線のデータ通信を中断させないよう上り回線の変調方式の切替は行わない。【００９０】  さて、上り回線と下り回線の両回線の処理が完了すると、通信終了の有無を確認し（Ｓ６１８）、なければ前述の処理を繰り返し（Ｓ６１８−Ｎ）、あれば通信を終了する（Ｓ６１８−Ｙ）。【００９１】  図７は、優先すべき回線の設定を行って変調方��を変更する際の、端末装置と基地局装置の間の接続シーケンス図である。【００９２】  以下の動作においては、例えば操作者がホームページの閲覧を行うアプリケーションを起動し、優先情報生成部１０５が下り回線を優先とすべき設定をなした場合を仮定して説明する。【００９３】  端末装置１００の操作者により、所定のアプリケーションによる通信の開始が指示されると、端末装置１００は、優先情報生成部１０５にて、アプリケーションに応じた優先すべき回線の決定を行い（Ｓ７００）、また、基地局装置２００へ無線チャネルの割当を要望する「ＬＣＨ（Ｌｉｎｋ  Ｃｈａｎｎｅｌ）確立要求」メッセージを生成して無線部１１６を介して送信する（Ｓ７０２）。【００９４】  基地局装置２００では、処理部２０８が「ＬＣＨ確立要求」メッセージを解析して無線チャネルの空き状況を確認し、空きがあれば「ＬＣＨ割当」メッセージを生成して返信し（Ｓ７０４）、また空きがない場合には、「ＬＣＨ割当拒否」メッセージを生成して返信する。【００９５】  一方、端末装置１００では、処理部１０４にて基地局装置２００から返信されたメッセージを解析し、「ＬＣＨ割当」メッセージの場合には、割当てられた無線チャネルを無線部１１６へ設定する。もし、ここで、「ＬＣＨ割当拒否」メッセージの場合には、他の基地局装置へ再度「ＬＣＨ確立要求」メッセージを送信し、無線チャネルの割当を受ける。【００９６】  さて、無線チャネルの割当を行った基地局装置２００の処理部２０８と割当を受けた端末装置１００の処理部１０４では、割当がなされたチャネルにて同期バーストの送受信（Ｓ７０６，Ｓ７０８）を行って同期の確立を図る。そして、同期確立後は、互いの機能確認部（１０６、２１４）にて、それぞれの備える機能の確認を行い（Ｓ７１０）、併せて端末装置１００から基地局装置２００へ優先すべき回線の設定を伝える（Ｓ７１２）。【００９７】  尚、機能確認後の、最初の通信状態で使用する変調方式は、伝送路環境が不明なことより、端末装置および基地局装置の適応変調方式への対応如何に関わらず全ての装置が共通で備えるπ／４シフトＱＰＳＫである。【００９８】  通信状態に至った端末装置１００と基地局装置２００では、データの通信が開始されるとともに（Ｓ７１４）、端末装置１００の品質測定部１１２と基地局装置２００の品質導出部２１０にて、各々受信信号の品質を継続的に監視する。そして、上り回線、あるいは下り回線それぞれにおいて、予め定めた規定値以上の品質があるか否かを確認し、規定値以上の品質が確認された場合には、Ｓ７００で設定した優先すべき回線の情報に照らして変調方式の切替手順を起動する。【００９９】  具体的には、例えば、下り回線を優先とすべき設定がなされている場合において、端末装置１００の品質測定部１１２で下り回線の伝送路品質がよいと判断されると（Ｓ７１６）、端末装置１００は、下り回線の変調方式の変更を要求する「端末受信品質通知信号」メッセージを基地局装置２００へ送信する（Ｓ７１８）。【０１００】  基地局装置２００では、変調方式制御部２１２にて対応の可否を確認し、可能であれば「変調方式通知信号」メッセージを返送する（Ｓ７２０）。【０１０１】  そして、こ��「変調方式通知信号」メッセージが、端末装置１００と基地局装置２００との間で送受信されると、端末装置１００と基地局装置２００は、互いの上り回線および下り回線でのデータ通信を一時的に停止し、下り変調方式の切替処理を行って（Ｓ７２２）、新たな変調方式での通信を開始する（Ｓ７２４）。【０１０２】  さて、新たな変調方式による通信が開始されると、端末装置１００の品質測定部１１２と基地局装置２００の品質導出部２１０では、引き続き、各々の受信信号の品質監視を再開する。そして、例えば、基地局装置２００の品質導出部２１０において、上り回線の伝送路品質がよいと判断された場合（Ｓ７２６）には、下り回線を優先すべき回線にする旨の設定があることから、変調方式制御部２１２は、上り回線の変調方式切替を行わず（Ｓ７２８）、現状の変調方式のままでの通信を継続させる。【０１０３】  以上の構成による通信システム１０の動作を説明する。【０１０４】  端末装置１００は、操作者により、操作表示部１０２を介して、所定のアプリケーションによる通信の開始が指示されると、優先情報生成部１０５にてアプリケーションに応じた優先すべき回線の決定を行い、また、処理部１０４にて基地局装置２００へ無線回線の接続を要求する。【０１０５】  基地局装置２００では、処理部２０８で、無線チャネルの空き状況を確認し、空きがあれば無線チャネルの割当を行い、その無線チャネルにて端末装置との無線同期の確立を図る。【０１０６】  無線同期が確立し、データの送受信が可能になると、端末装置１００と基地局装置２００は、互いの備える機能の確認を行うため、機能情報の交換を行い、また、端末装置１００から基地局装置２００へ、先に決定した優先すべき回線の情報を伝える。【０１０７】  端末装置１００と基地局装置２００では、互いに、機能情報の交換で得た端末装置あるいは基地局装置の機能情報と、優先すべき回線の情報を記憶部（１０８、２１６）へそれぞれ格納する。【０１０８】  さて、無線同期が確立し、機能情報などの交換が完了すると、端末装置１００と基地局装置２００は、π／４シフトＱＰＳＫでのデータ通信を開始し、併せて、伝送路の品質の確認を、下り回線については端末装置１００の品質測定部１１２で、上り回線については基地局装置２００の品質導出部２１０で、それぞれ継続的に実施する。【０１０９】  そして、例えば、下り回線を優先とすべき設定がなされている場合において、端末装置１００の品質測定部１１２で、下り回線の伝送路品質がよいと判断された場合には、端末装置１００は下り回線の変調方式の変更を要求する「端末受信品質通知信号」メッセージを基地局装置２００へ送信する。これに対し、基地局装置２００では変調方式制御部２１２にて対応の可否を確認し、可能であれば「変調方式通知信号」メッセージを返送する。そして、そのメッセージの送受がなされると、互いの上り回線および下り回線でのデータ通信を一時的に停止し、下り変調方式の切替処理を行って新たな変調方式での通信を開始する。【０１１０】  一方、下り回線を優先とすべき設定がなされている場合において、基地局装置２００の品質導出部２１０で上り回線の伝送路品質が良いと判断された場合には、基地局装置２００は、記憶部２１６への確認で、下り回線を優先にすべき旨の設定があることから、変調方式制御部２１２は、上り回線の変調方式切替を行わず、現状の変調方式のままでの通信を継続させる。【０１１１】  次に、上り回線を優先とすべき設定がされている場合において、端末装置１００の品質測定部１１２で、下り回線の伝送路品質がよいと判断された場合には、端末装置１００は、上り回線を優先にすべき旨の設定があることから、下り回線の変調方式の変更を要求する「端末受信品質通知信号」メッセージは生成せず、現状の変調方式での通信を継続する。【０１１２】  一方、上り回線を優先とすべき設定がなされている場合において、基地局装置２００の品質導出部２１０で上り回線の伝送路品質が良いと判断された場合には、基地局装置２００は、「上り変調方式切替指示」メッセージを生成し、端末装置１００に対して送出する。そして、端末装置１００でメッセージの受信がなされると、互いの上り回線および下り回線でのデータ通信を一時的に停止し、上り変調方式の切替処理を行って新たな変調方式での通信を開始する。【０１１３】  本実施の形態によれば、基地局装置２００は、適応変調の処理を行うに際し、上り回線あるいは下り回線のうち、優先すべきと設定された回線でのデータ通信を優先するよう変調方式切替処理の起動を制御するため、例えば、下り回線にて多量のデータの送受を行う場合に、上り回線の変調方式を切り替えるための下り回線の一時中断が発生せず、伝送効率の低下を防ぐことができる。【０１１４】  また、端末装置１００は、操作者からのアプリケーション起動操作に応じて、上り回線あるいは下り回線のうち、優先すべきとする回線を決定して基地局装置２００に伝え、また、基地局装置から指示された優先すべき回線を中断させる旨の要求信号を無視するので、アプリケーション毎のデータ発生状況に応じた効率的な通信を行うことができる。【０１１５】  以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。【０１１６】  本実施の形態において、上り回線と下り回線のうち、いずれの回線を優先に設定するかは、端末装置１００から行う構成としているが、これに限るものではなく、基地局装置２００が独自に設定してもよい。例えば、通信の開始時に、端末装置１００が接続を希望する先の電話番号の情報を抽出し、その番号ごとに上り回線と下り回線の優先度を設定したり、あるいは、通信開始時に送受信される情報から、端末装置で起動するアプリケーションの種類を判別し、その情報を基に上り回線と下り回線の優先度を設定してもよい。【０１１７】  また、基地局装置２００において、変調方式を切り替えるか否かは、優先すべき回線の設定と、伝送路の品質をもとに決定したが、これに限るものではない。例えば、基地局装置２００において、優先すべき回線として設定されている回線の実際のデータ量を監視し、データ量が少ない場合には、変調方式の切り替えを起動するよう構成してもよい。【０１１８】  以下に詳細を説明する。【０１１９】  図８は、基地局装置２００における通信接続動作を示すフローチャートである。【０１２０】  本フローチャートでは、図５で説明した動作と同じく、基地局装置２００は、端末装置１００から送信された上り回線あるいは下り回線を優先すべき旨の要求を検出し、その要求に応じて適応変調の処理を行うことを基本とするが、最終的に適応変調の処理を起動するか否かを、データ量監視部２１８でのデータ量に関する情報を参照しながら決定する点が異なる。【０１２１】  以下では、異なる点を中心に詳細を説明する。尚、図５で説明した動作と同じ部分については、図５と同じ番号（Ｓ５００〜Ｓ５１６）を付与し、説明を簡略あるいは省略する。【０１２２】  さて、優先すべき回線の確認がなされ、通信状態に至ると、基地局装置２００では、上り回線の伝送路品質の確認と（Ｓ５０４）、端末装置１００からの下り変調方式変更要求信号の検出（Ｓ５１０）を行う。【０１２３】  そして、上り回線の伝送路品質が、図２の判断基準に照らして良いと判断された場合には（Ｓ５０４−Ｙ）、優先すべき回線の設定を確認する（Ｓ５０６）。【０１２４】  ここで、優先すべき回線が下り回線に設定されていない場合（Ｓ５０６−Ｎ）には、図５と同じく、変調方式制御部２１２は、上り回線の変調方式をＳ５０４で判断した変調方式へ変更すべき旨の指示メッセージを生成し、変復調部２０６を介して端末装置１００へ送信する。【０１２５】  一方、優先すべき回線が下り回線に設定されている場合（Ｓ５０６−Ｙ）、図５では、下り回線でのデータ通信を中断させないよう上り回線の変調方式の切り替えは行わない構成としたが、本動作では、データ量監視部２１８による下り回線の信号量を参照する（Ｓ８００）。具体的には、データ量監視部２１８による監視で、送受信されているデータが多いと判断された場合（Ｓ８００−Ｎ）には、図５と同じく上り回線の変調方式の切り替えは行わないが、少ないと判断された場合（Ｓ８００−Ｙ）には、下り回線を優先すべき旨の設定がある場合においても、上り回線の変調方式の切替を行うよう端末装置１００へ指示する（Ｓ５０８）。【０１２６】  また、端末装置１００から下り回線の変調方式変更の要求がある場合（Ｓ５１０）も同様に、例えば、上り回線を優先すべき旨の設定がされていても（Ｓ５１２−Ｙ）、データ量監視部２１８での測定で、上り回線のデータ量が少ないと判断されると（Ｓ８０２−Ｙ）、下り回線の変調方式を切り替えるための処理を起動する（Ｓ５１４）。【０１２７】  図９は、優先すべき回線の設定を行って変調方式を変更する際の、端末装置と基地局装置の間の接続シーケンス図である。【０１２８】  本シーケンス図は、図８で示した動作を、端末装置１００と基地局装置２００との間の接続シーケンスとして示したものである。【０１２９】  従って、図７にて示した接続シーケンスを基本とし、最終的に適応変調の処理を起動するか否かを、データ量監視部２１８でのデータ量に関する情報を参照しながら決定する点が異なる。【０１３０】  以下の説明においては、図７と同じく、例えば操作者がホームページの閲覧を行うアプリケーションを起動し、優先情報生成部１０５が下り回線を優先とすべき設定をなした場合を仮定し��図７と重複する部分については、図７と同じ番号を付し（Ｓ７００〜Ｓ７２６）、説明を簡略あるいは省略する。【０１３１】  さて、端末装置１００と基地局装置２００との間で、機能情報の交換や、優先すべき回線の設定要求がなされ（Ｓ７１０、Ｓ７１２）、また、通信中の伝送路品質の確認（Ｓ７１６）により、下り方向の変調方式の切り替えがなされると（Ｓ７１８〜Ｓ７２２）、新たな変調方式での通信が開始される（Ｓ７２４）。【０１３２】  ここで、例えば、基地局装置２００の品質導出部２１０において、上り回線の伝送路品質がよいと判断された場合（Ｓ７２６）、図７においては、下り回線を優先にすべき旨の設定があることから、変調方式制御部２１２は、上り回線の変調方式の切り替えを行わず（Ｓ７２８）、現状の変調方式のままでの通信を継続させている。これに対し、図９においては、データ量監視部２１８で、下り回線のデータ量は少ないと判断された場合（Ｓ７２６）には、変調方式制御部２１２は、下り回線を優先にすべき旨の設定がなされている場合においても、端末装置１００に対して「上り変調方式切替指示」メッセージを送信し、上り変調方式の切り替えを行って（Ｓ９０２）、新たな変調方式での通信を開始する（Ｓ９０４）。【０１３３】  本実施の形態によれば、基地局装置２００は、適応変調の処理を行うに際し、上り回線あるいは下り回線のうち、優先すべきと設定された回線でのデータ通信を優先するよう変調方式切替処理の起動を制御し、また、優先すべきとする回線の実際のデータ量を監視しながら変調方式の変更処理の起動を制御するため、優先とすべき回線のみならず、優先としない回線も含め、より伝送効率の低下を防ぐことができる。【０１３４】  更に、以上の実施例においては、優先すべき回線を設定して、その設定を基に機能する構成としたが、これに限るものではなく、例えば、端末装置、あるいは基地局装置が、優先回線の設定に関する機能を備えない場合、上り回線あるいは下り回線それぞれのデータ量に応じて、上り回線あるいは下り回線の変調方式を設定することも可能である。
【産業上の利用可能性】
【０１３５】  端末装置と基地局装置との間で設定される無線回線において、上り回線あるいは下り回線のいずれかを優先とすべき設定を行い、その設定情報と、伝送路の品質、又は送受信される信号の発生量を参照して最適な伝送速度を決定するので、伝送効率の低下を防ぐことができる。
【図１】
0004317551.tif 000002
【図２】
0004317551.tif 000003
【図３】
0004317551.tif 000004
【図４】
0004317551.tif 000005
【図５】
0004317551.tif 000006
【図６】
0004317551.tif 000007
【図７】
0004317551.tif 000008
【図８】
0004317551.tif 000009
【図９】
0004317551.tif 000010